(57)【特許請求の範囲】
【請求項１】
合成樹脂フイルム材から一体成形された長方形状の容器本体(1)と蓋体(2)とがヒンジ部(3)を介して折り返し自在に連結された包装用容器において、前記容器本体(1)と蓋体(2)は閉蓋時に互いに対向する水平な面(11)，(21)を備え、前記ヒンジ部(3)が長方形状の短幅側に設けられ、前記蓋体(2)のヒンジ部(3)から遠隔点の容器幅方向の中央にある水平な面(21)に一つの係合凸部(22)又は係合凹部(12)が設けられ、該水平な面(11)と対向する前記容器本体(1)の水平な面(11)には、前記係合凸部(22)又は係合凹部(12)と嵌合する一つの係合凹部(12)又は係合凸部(22)が設けられており、前記係合凸部(22)の頭部(22a)が若干大径に形成され、係合凹部(12)の内部には係合凸部(22)の大径頭部(22a)が係合するアンダーカット部(12a)が設けられており、更に蓋体(2)のヒンジ部(3)側を除く三方の周縁に上方に立ち上がる立上げ片(23)が設けられ、この立上げ片(23)が閉蓋時に容器本体(1)の周縁(13)に略接する状態で該周縁(13)を覆い隠すように形成されている鶏卵容器。
【請求項２】
前記ヒンジ部(3)が複数の巾の細い連結帯で形成されていている請求項１に記載の包装用容器。
【発明の詳細な説明】
【０００１】
【発明が属する技術分野】
本発明は、容器本体と蓋体とがヒンジ部を介して折り返し自在に一体成形された合成樹脂フイルム材製の包装容器に関するもので、主として鶏卵や生鮮果実類等の食品を収納して陳列販売する場合に使用される使い捨てタイプの軽量包装容器に関するものである。
【０００２】
【従来の技術】
容器本体と蓋体とがヒンジ部を介して折り返し自在に一体成形された使い捨てタイプの合成樹脂フイルム製容器として鶏卵容器等に広く実施されている。この種の容器にあっては、蓋体の閉鎖姿勢を保持するのに、蓋体と容器本体の遊端縁部をホッチキスや熱融着、或いは接着テープ等で結合する手段がとられている。しかしこのような手段は工具やテープを必要とすると共に作業が面倒であるため、一部には蓋体と容器本体の遊端縁部に係合凹凸部を形成してこの凹凸部を嵌合させて閉蓋姿勢を保持させる構造のものがあった。
【０００３】
【発明が解決しようとする課題】
しかし、この種の包装用容器にあっては、素材自体が壁厚０．３mm程度の薄い合成樹脂フイルムから真空成形等によって成形されたものであるから、非常に柔軟であって係合凹凸部による嵌合力が弱く、しかも成形時における金型抜代の関係から嵌合凹凸部を大きく設定することができないので、嵌合力には限界があり確実に閉蓋姿勢を維持することが困難であった。
【０００４】
そこで本発明は、蓋体を容器本体に嵌合する際にはワンタッチで簡単に行うことができるものでありながら、閉蓋時にあっては強固な嵌合力で確実に閉蓋姿勢を保持することのできる合成樹脂フイルム製の包装用容器を提供することを主たる目的とするものである。
【０００５】
【課題を解決するための手段】
上記目的を達成する為に本発明では次のような技術的手段を講じた。即ち、本発明に係る鶏卵容器にあっては、合成樹脂フイルム材から一体成形された長方形状の容器本体１と蓋体２とがヒンジ部３を介して折り返し自在に連結された包装用容器において、前記容器本体１と蓋体２は閉蓋時に互いに対向する水平な面１１，２１を備え、前記ヒンジ部３が長方形状の短幅側に設けられ、前記蓋体２のヒンジ部３から遠隔点の容器幅方向の中央にある水平な面２１に一つの係合凸部２２又は係合凹部１２が設けられ、該水平な面１１と対向する前記容器本体１の水平な面１１には、前記係合凸部２２又は係合凹部１２と嵌合する一つの係合凹部１２又は係合凸部２２が設けられており、前記係合凸部２２の頭部２２ａが若干大径に形成され、係合凹部１２の内部には係合凸部２２の大径頭部２２ａが係合するアンダーカット部１２ａが設けられており、更に蓋体２のヒンジ部３側を除く三方の周縁に上方に立ち上がる立上げ片２３が設けられ、この立上げ片２３が閉蓋時に容器本体１の周縁１３に略接する状態で該周縁１３を覆い隠すように形成されている構造とした。
【０００６】
このように構成することにより、閉蓋時に係合凸部２２と係合凹部１２とがホックのように嵌合すると同時に、蓋体２の立上げ片２３が容器本体１の周縁１３を囲うようにして蓋体２と容器本体１の相対的な横ずれを規制するので、係合凸部２２と係合凹部１２との係合状態を安定よく保持することができ、蓋体２の閉じ姿勢を確実に維持することができる。加えて、容器本体１の周縁１３が蓋体２の立上げ片２３によって覆い隠されているので、容器本体１と蓋体２の周縁部分が互いにめくれたり、跳ね上がったりして係合凸部２２と係合凹部１２との係合力が弱められることを未然に防止でき、且つ体裁もよい。
【０００７】
【発明の実施の形態】
前記ヒンジ部３を複数の巾の細い連結帯で形成するのが好ましい。こうすることによって、蓋体２をヒンジ部３から容器本体１に折り返したときに、紙を折るような形態で完全に二つ折りにすることができて蓋体２と容器本体１との隙間を無くすることができると共に、ヒンジ部分における遊びを無くして蓋体２と容器本体１との結合姿勢をより安定よく保持することができる。
【０００８】
【実施例】
以下、本発明の構成を図１乃至図３に示した実施例に基づき説明する。図では本発明を鶏卵を収納するための容器に応用したものであって、薄い合成樹脂フイルム材から一体的に成形された容器本体１と該容器本体１にヒンジ部３を介して折り返し自在に連結された蓋体２とからなる。前記ヒンジ部３は複数の巾の細い連結帯で形成されている。
【０００９】
前記容器本体１と蓋体２には鶏卵を整列収納するための複数の収納凹部１５…，２５…を備え、これら収納凹部１５…，２５…の開口上端縁に連なって水平な面１１，２１が設けられている。これら水平な面１１，２１は閉蓋時に互いに面接するように形成されている。
【００１０】
前記蓋体２のヒンジ部３から遠隔点にある水平な面２１に係合凸部２２が設けられ、前記容器本体１の水平な面１１には前記係合凸部２２が嵌合する係合凹部１２が設けられている。前記係合凸部２２の頭部２２ａが若干大径に形成され、係合凹部１２の内部には係合凸部２２の大径頭部２２ａが係合するアンダーカット部１２ａが設けられていて両者がホックのように嵌合するように形成されている。尚、本実施例では前記係合凸部２２は蓋体２の遊端側に寄った中央の水平な面２１に設けたが、図５に示すように遊端側に隣接した水平な面２１に設けてもよい。
【００１１】
更に蓋体２のヒンジ部３側を除く三方の周縁には上方に立ち上がる立上げ片２３が設けられ、この立上げ片２３が閉蓋時に容器本体１の周縁１３に略接する状態で該周縁１３を覆い隠すように形成されている。
【００１２】
上記のごとく構成された容器にあっては、閉蓋時に係合凸部２２と係合凹部１２とがホックのように嵌合すると同時に、蓋体２の立上げ片２３が容器本体１の周縁１３を囲うように接して蓋体２と容器本体１の相対的な横ずれを規制するので、係合凸部２２と係合凹部１２との係合状態を安定よく保持することができ、蓋体２の閉じ姿勢が確実に維持される。また容器本体１の周縁１３が蓋体２の立上げ片２３によって覆い隠されているので、容器本体１の周縁部分がめくれたり、跳ね上がったりすることを未然に防止でき、且つ体裁もよい。また前記ヒンジ部３が複数の巾の細い連結帯で形成されているので、蓋体２をヒンジ部３で折り返したときに、紙を折るような形態で完全に上下密着させた状態で二つ折りすることができて蓋体２と容器本体１との隙間を無くすることができると共に、ヒンジ部分における遊びを無くして蓋体２と容器本体１との結合姿勢をより安定よく保持することができる。
【００１３】
前記蓋体２を容器本体１に被せるときに蓋体２の立上げ片２３が容易に容器本体１の周縁に嵌り込むようにするために、図１に示すように、立上げ片２３をヒンジ部３に隣接する端部から蓋体遊端側に向かって緩やかに高くなるように傾斜させて形成するのが好ましいが、図４に示すように全て同じ高さに形成してもよい。
【００１４】
また、上記実施例では、容器本体１の周縁１３に補強のための小さな立ち上げリブ１４を形成したが図５に示すようにこの立ち上げリブ１４を省略することも可能である。
【００１５】
以上本発明の代表的と思われる実施例について説明したが、本発明は必ずしもこれらの実施例構造のみに限定されるものではない。例えば、本発明の対象とする容器としては上記実施例で示した鶏卵容器の形態に限らず、生鮮果実類やその他の食品を収納する容器に適用することができる。また、上記実施例では蓋体２に係合凸部２２を、前記容器本体１１に係合凹部１２を設けたが、その逆にしてもよいことは勿論である。また、蓋体２の周縁に立ち上げ形成した立ち上げ片２３は容器本体１側に形成してあるものとしてもよい。また、この立ち上げ片２３は三方のみに形成してあるものとする。その他本発明ではその構成要件を備え、かつ本発明の目的を達成し、下記の効果を奏する範囲内において適宜改変して実施できるものである。
【００１６】
【発明の効果】
以上のごとく本発明では、薄い合成樹脂フイルムで成形されたものでありながら、一つの係合凸部と凹部との係合と、蓋体周縁の立上げ片による容器本体周縁の覆いとによって、ヒンジ部が短幅側に設けられた長方形状の容器でも強固な嵌合力が保持できて蓋体と容器本体との閉蓋姿勢を確実に保持することができると共に、蓋体と容器本体とをワンタッチで簡単に嵌合させることができる効果がある。
【図面の簡単な説明】
【図１】本発明にかかる包装用容器の開蓋時の斜視図。
【図２】図１におけるＡ−Ａ線に沿った断面図。
【図３】上記容器の閉蓋時の断面図。
【図４】本発明の他の実施例を示す図１同様の斜視図。
【図５】本発明の更に他の実施例を示す図１同様の斜視図。
【符号の説明】
１  容器本体
１１  水平な面
１２  係合凹部
１２ａ  係合凹部のアンダーカット部
１３  周縁
２  蓋体
２１  水平な面
２２  係合凸部
２２ａ  係合凸部の大径頭部
２３  立上げ片
３  ヒンジ部
【図１】
0003831835.tif 000002
【図２】
0003831835.tif 000003
【図３】
0003831835.tif 000004
【図４】
0003831835.tif 000005
【図５】
0003831835.tif 000006